(57)【要約】【解決手段】ハンドル２の腹部８には両側部１０間で長手方向へ延びる空間部１１を設けているとともに、両側部１０には空間部１１を幅方向で挟んで空間部１１に沿って長手方向へ延びる指当壁部２０を設けている。両指当壁部２０は腹側に自由端部２０ａを有する片持ち梁状をなしてその両指当壁部２０の自由端部２０ａ間で空間部１１を開放している。片持ち梁状をなす両指当壁部２０の固定端部２０ｂは指当壁部２０より硬質の側枠部１３に取着されている。両指当壁部２０は空間部１１側へ押された際に空間部１１側へ撓んで弾性変形する。【効果】その弾性変形の際に生じる撓み量は自由端部２０ａ側ほど大きいので、ハンドル２が手に馴染み易くなり、感触を従来のものよりもより一層良くして使い勝手を向上させることができる。【選択図】図１
2012024456.tif 000002
【特許請求の範囲】
【請求項１】
把持部の幅方向両側にはその長手方向へ延びる指当部を設け、この指当部においてこの把持部の長手方向及び幅方向に交叉する厚み方向で指当部に有する両端部を結ぶ方向に区画される複数の部位は、両指当部を互いに接近させるように少なくとも一方の指当部を他方の指当部側へ押した際に、一方の指当部が他方の指当部側へ変形して生じる指当部の変位量が異なる部位を含むことを特徴とする手動利器のハンドル。
【請求項２】
前記把持部にはその長手方向へ延びる空間部を設け、この空間部は前記指当部の両端部のうち少なくとも一方の端部側で開放され、この両指当部は、この空間部を把持部の幅方向で挟んで空間部に沿って長手方向へ延び、空間部側へ押された際に空間部側へ変形することを特徴とする請求項１に記載の手動利器のハンドル。
【請求項３】
前記両指当部はその両端部のうち一方の端部を自由端部とする片持ち梁状をなしてその両指当部の自由端部間で前記空間部を開放し、片持ち梁状をなす前記両指当部の両端部のうち自由端部である一方の端部に対し固定端部である他方の端部は、指当部より硬質の基部に取着されていることを特徴とする請求項２に記載の手動利器のハンドル。
【請求項４】
前記変位量は、一方の指当部を他方の指当部側へ押した際に一方の指当部が他方の指当部側へ変形して撓んで生じる撓み量であり、前記指当部の両端部間の中間の部位よりも端部側の部位ほど前記撓み量を大きくしたことを特徴とする請求項１または請求項２または請求項３に記載の手動利器のハンドル。
【請求項５】
請求項２から請求項４のうちいずれか一つの請求項に記載の手動利器のハンドルにおいて、前記把持部にはその長手方向の両側のうち一方の側に頭部を設けるとともに他方の側に尻部を設け、刃体を組み込んだ剃刀ヘッドをこの把持部の頭部に設け、この把持部は、その刃体の刃先が向く腹側である腹部と、その腹側に対する反対側の背側である背部と、その刃先の延設方向の両側である側部とを頭部と尻部との間に有し、前記空間部はこの把持部の腹部に設けられて開放され、前記指当部はこの把持部の両側部に設けられていることを特徴とする剃刀。
【請求項６】
前記把持部において、頭部と尻部との間で長手方向へ延びる両側部のうち、前記指当部を有する両側部と尻部との間の両側部には、両側部間の間隔を狭くしたくびれ部を設け、このくびれ部で把持部は変形し得ることを特徴とする請求項５に記載の剃刀。
【発明の詳細な説明】
【技術分野】
【０００１】
本発明は手動利器例えば剃刀のハンドルに関するものである。
【背景技術】
【０００２】
従来、下記特許文献１では、柄の表面に同素材の硬質表面部と同素材の軟質表面部とがそれぞれ露出して配置されているだけであるため、柄を把持して指を柄の表面に当てがった際に、指の感触に変化が生じにくい。
【先行技術文献】
【特許文献】
【０００３】
【特許文献１】特開２０１０−６４１７０号公報
【発明の概要】
【発明が解決しようとする課題】
【０００４】
この発明は、手動利器例えば剃刀のハンドルにおいて、把持部を把持して指当部に指を当てがった際の感触をより一層良くして使い勝手を向上させることを目的としている。
【課題を解決するための手段】
【０００５】
後記実施形態の図面（図１〜４）の符号を援用して本発明を説明する。
請求項１の発明にかかる手動利器１のハンドル２は、下記のように構成されている。
把持部３の幅方向Ｙの両側にはその長手方向Ｘへ延びる指当部２０を設け、この指当部２０においてこの把持部３の長手方向Ｘ及び幅方向Ｙに交叉する厚み方向Ｚで指当部２０に有する両端部２０ａ，２０ｂを結ぶ方向に区画される複数の部位は、両指当部２０を互いに接近させるように少なくとも一方の指当部２０を他方の指当部２０側へ押した際に、一方の指当部２０が他方の指当部２０側へ変形して生じる指当部２０の変位量が異なる部位を含む。請求項１の発明では、把持部３の厚み方向Ｚで区画される指当部２０の複数の部位で指当部２０を押した際に変形して生じる指当部２０の変位量が異なるので、把持部３を把持して指当部２０に指を当てがった際の感触を良くすることができる。
【０００６】
請求項１の発明を前提とする請求項２の発明において、前記把持部３にはその長手方向Ｘへ延びる空間部１１を設け、この空間部１１は前記指当部２０の両端部２０ａ，２０ｂのうち少なくとも一方の端部２０ａ側で開放され、この両指当部２０は、この空間部１１を把持部３の幅方向Ｙで挟んで空間部１１に沿って長手方向Ｘへ延び、空間部１１側へ押された際に空間部１１側へ変形する。請求項２の発明では、空間部１１により指当部２０を変形させ易い。そのため、指当部２０に指を当てがった際に指がフィットし易くなって感触をさらに良くすることができる。
【０００７】
請求項２の発明を前提とする請求項３の発明において、前記両指当部２０はその両端部２０ａ，２０ｂのうち一方の端部を自由端部２０ａとする片持ち梁状をなしてその両指当部２０の自由端部２０ａ間で前記空間部１１を開放し、片持ち梁状をなす前記両指当部２０の両端部２０ａ，２０ｂのうち自由端部２０ａである一方の端部に対し固定端部２０ｂである他方の端部は、指当部２０より硬質の基部１３に取着されている。請求項３の発明では、片持ち梁状の指当部２０を基部１３に支持した固定端部２０ｂよりも自由端部２０ａで変形し易くして、指当部２０の複数の部位の変位量を変化させることができる。
【０００８】
請求項１または請求項２または請求項３の発明を前提とする請求項４の発明において、前記変位量は、一方の指当部２０を他方の指当部２０側へ押した際に一方の指当部２０が他方の指当部２０側へ弾性変形して撓んで生じる撓み量であり、前記指当部２０の両端部２０ａ，２０ｂ間の中間の部位よりも端部２０ａ側の部位ほど前記撓み量を大きくした。請求項４の発明では、指当部２０を撓ませて生じる弾性変形により、把持部３を把持して指当部２０に指を当てがった際の感触をより一層良くすることができる。
【０００９】
請求項５の発明にかかる剃刀において、請求項２から請求項４のうちいずれか一つの請求項の発明にかかるハンドル２の把持部３にはその長手方向Ｘの両側のうち一方の側に頭部６を設けるとともに他方の側に尻部７を設け、刃体５を組み込んだ剃刀ヘッド４をこの把持部３の頭部６に設け、この把持部３は、その刃体５の刃先５ａが向く腹側である腹部８と、その腹側に対する反対側の背側である背部９と、その刃先５ａの延設方向の両側である側部１０とを頭部６と尻部７との間に有し、前記空間部１１はこの把持部３の腹部８に設けられて開放され、前記指当部２０はこの把持部３の両側部１０に設けられている。請求項５の発明では、剃刀１のハンドル２における把持部３を把持して指当部２０に指を当てがった際の感触を良くすることができる。
【００１０】
請求項５の発明を前提とする請求項６の発明にかかる把持部３において、頭部６と尻部７との間で長手方向Ｘへ延びる両側部１０のうち、前記指当部２０を有する両側部１０と尻部７との間の両側部１０には、両側部１０間の間隔を狭くしたくびれ部２５を設け、このくびれ部２５で把持部３は変形し得る。例えば、このくびれ部２５で把持部３は、腹部８と背部９とを結ぶ方向と両側部１０間を結ぶ方向とへそれぞれ折曲することができるとともに、腹部８と背部９と両側部１０とを結ぶ周方向へ捻ることができるように、弾性変形し得る。請求項６の発明では、把持部３のくびれ部２５の変形により、剃刀１のハンドル２における把持部３を把持した際の感触を良くすることができる。
【００１１】
次に、請求項以外の技術的思想について実施形態の図面の符号を援用して説明する。
第７の発明にかかる剃刀１は、下記のように構成されている。
ハンドル２の把持部３にはその長手方向Ｘの両側のうち一方の側に頭部６を設けるとともに他方の側に尻部７を設け、刃体５を組み込んだ剃刀ヘッド４をこの把持部３の頭部６に設けている。この把持部３は、その刃体５の刃先５ａが向く腹側である腹部８と、その腹側に対する反対側の背側である背部９と、その刃先５ａの延設方向の両側である側部１０とをその頭部６と尻部７との間に有している。この把持部３の腹部８には把持部３の両側部１０間で把持部３の長手方向Ｘへ延びる空間部１１を設けている。この把持部３の両側部１０にはこの空間部１１を把持部３の幅方向Ｙで挟んで空間部１１に沿って長手方向Ｘへ延びる指当部２０を設けている。この両指当部２０は腹側に自由端部２０ａを有する片持ち梁状をなしてその両指当部２０の自由端部２０ａ間で前記空間部１１を開放している。片持ち梁状をなす両指当部２０の固定端部２０ｂは指当部２０より硬質の基部１３に取着されている。両指当部２０は空間部１１側へ押された際に空間部１１側へ撓んで弾性変形する。その弾性変形の際に生じる撓み量は自由端部２０ａ側ほど大きい。
【００１２】
第７の発明では、剃刀１のハンドル２において、把持部３を把持して指当部２０に指を当てがった際に、片持ち梁状の指当部２０を基部１３に支持した固定端部２０ｂよりも自由端部２０ａで空間部１１側へ指当部２０を撓ませて生じる弾性変形により、指当部２０を変形させ易くして感触を良くすることができる。
【００１３】
請求項３の発明または第７の発明を前提とする第８の発明において、前記基部は把持部３の長手方向Ｘの両側のうち一方の側と他方の側との間で両指当部２０に沿って延びる側枠部１３であり、把持部３は、その両側枠部１３と、その両側枠部１３の一方の側と他方の側とをそれぞれ互いに接続した端枠部１４，１５とにより、環状の支持枠部１２を有している。第８の発明では、環状の支持枠部１２により、片持ち梁状の指当部２０の固定端部２０ｂを支持して片持ち梁状の指当部２０の自由端部２０ａを撓み易くすることができる。
【００１４】
請求項３の発明または第７の発明または第８の発明を前提とする第９の発明において、前記両指当部２０の固定端部２０ｂが取着された基部１３間には前記空間部１１に面する壁部１８を両指当部２０から連続して設けている。第９の発明では、その壁部１８に指を当てがって把持部３を把持し易い。
【００１５】
請求項３の発明または第７の発明または第８の発明または第９の発明を前提とする第１０の発明において、前記空間部１１に面する両指当部２０の内面側に対し反対側になる外面２３は、固定端部２０ｂ側から自由端部２０ａ側に向うに従い両指当部２０の自由端部２０ａが互いに接近するように傾斜している。第１０の発明では、両指当部２０に指を当てがい易い。
【００１６】
請求項３の発明、または第７〜１０の発明のうちいずれか一つの発明を前提とする第１１の発明において、前記空間部１１に面する両指当部２０の内面側に対し反対側になる外面２３は、把持部３の長手方向Ｘの両側のうち一方の側例えば頭部６側から他方の側例えば尻部７側に向うに従い両指当部２０の自由端部２０ａが互いに接近するように傾斜している。第１１の発明では、両指当部２０に指を当てがい易い。
【００１７】
請求項３の発明、または第７〜１１の発明のうちいずれか一つの発明を前提とする第１２の発明において、前記空間部１１に面する両指当部２０の内面側に対し反対側になる外面２３においては、把持部３の長手方向Ｘの両側のうち一方の側の端部と他方の側の端部との間の中間部で、固定端部２０ｂと自由端部２０ａとの間の寸法が最大に設定されている。第１２の発明では、両指当部２０に指を当てがい易い。
【００１８】
請求項５または請求項６の発明を前提とする第１３の発明にかかる把持部３において、腹部８には頭部６と尻部７との間で長手方向Ｘへ延びる空間部１１を両側部１０間に設け、前記指当部２０を有する両側部１０はその空間部１１の一部または全部を挟む。第１３の発明では、空間部１１により指当部２０を変形させ易い。
【発明の効果】
【００１９】
本発明は、手動利器例えば剃刀１のハンドル２において、把持部３を把持して指当部２０に指を当てがった際の感触を従来のものよりもより一層良くして使い勝手を向上させることができる。
【図面の簡単な説明】
【００２０】
【図１】（ａ）は本実施形態にかかる剃刀を腹側から見た斜視図であり、（ｂ）は同じく剃刀を背側から見た斜視図である。
【図２】（ａ）は上記剃刀のハンドルを腹側から見た正面図であり、（ｂ）は上記剃刀のハンドルを背側から見た背面図である。
【図３】（ａ）は上記剃刀のハンドルを側方から見た側面図であり、（ｂ）は上記剃刀のハンドルを側方から見た断面図である。
【図４】（ａ）は図３（ａ）のＡ−Ａ線断面図であり、（ｂ）は図３（ａ）のＢ−Ｂ線断面図である。
【発明を実施するための形態】
【００２１】
以下、本発明の一実施形態にかかる手動利器である剃刀のハンドルについて図面を参照して説明する。
図１に示す剃刀１は、把持部３を有するハンドル２と、刃体５を組み込んだ剃刀ヘッド４とを備えている。このハンドル２において、把持部３にはその長手方向Ｘの両側のうち一方の側に頭部６が設けられているとともに他方の側に尻部７が設けられている。前記剃刀ヘッド４はこの把持部３の頭部６側でハンドル２に対し着脱不能に且つ首振り可能に支持されている。この把持部３は、その刃体５の刃先５ａが向く腹側である腹部８と、その腹側に対する反対側の背側である背部９と、その刃先５ａの延設方向の両側である側部１０とをその頭部６と尻部７との間に有している。前記把持部３の腹部８において把持部３の両側部１０間には頭部６と尻部７との間で把持部３の長手方向Ｘへ延びる空間部１１が設けられている。
【００２２】
図２〜４に示すように、前記把持部３は、両側部１０間を結ぶ幅方向Ｙの両側に配設された両側枠部１３と、頭部６側で両側枠部１３の端部間を互いに接続した端枠部１４と、尻部７側で両側枠部１３の端部間を互いに接続した端枠部１５とにより、環状の支持枠部１２を有しているとともに、この支持枠部１２に対し一体的に成形された壁部１６を有している。この壁部１６は、支持枠部１２の両側枠部１３及び両端枠部１４，１５に沿って環状に延びる周壁部１７と、その周壁部１７の内側で周壁部１７と連続して設けられた背壁部１８とからなる。前記空間部１１は、この周壁部１７と背壁部１８との間に設けられ、この背壁部１８に面して腹側に開放されている。この支持枠部１２はＡＢＳ樹脂やポリプロピレン樹脂などの硬質材により成形されている。この壁部１６はエラストマ樹脂やシリコーン樹脂などの軟質材により成形され、この壁部１６の硬度は支持枠部１２の硬度より小さいショアＡ３０〜ショアＤ６０の範囲に設定することが好ましい。
【００２３】
前記周壁部１７のうち支持枠部１２の両側枠部１３から把持部３の厚み方向Ｚで腹側に突出する側壁部１９には、指当壁部２０（指当部）が前記空間部１１を把持部３の幅方向Ｙで挟んで空間部１１に沿って頭部６側から尻部７側へ向けて長手方向Ｘへ延設されている。前記背壁部１８には頭部６側で支持枠部１２の端枠部１４に隣接して指当凹部２１が設けられているとともに、この指当凹部２１に隣接して大小の直径を有する複数の貫通孔２２が大小交互に尻部７側へ向けて並設されている。この各貫通孔２２は、水中で泡が浮かんでいるイメージを使用者に抱かせることができる。この両側壁部１９は側枠部１３の端面１３ａに対し熱溶着により取着された段差部１９ａを有している。なお、側壁部１９の段差部１９ａを側枠部１３の端面１３ａに対し剥がれ得るようにしてもよい。
【００２４】
前記両指当壁部２０は、腹側に自由端部２０ａを有する片持ち梁状をなしてその両指当壁部２０の自由端部２０ａ間で前記空間部１１が開放されている。片持ち梁状をなす両指当壁部２０の固定端部２０ｂは前記側枠部１３に取着されている。前記空間部１１に面する両指当壁部２０の内面側に対し反対側になる外面２３は、固定端部２０ｂ側から自由端部２０ａ側に向うに従い両指当壁部２０の自由端部２０ａが互いに接近するように傾斜しているとともに、把持部３の長手方向Ｘの両側のうち頭部６側から尻部７側に向うに従い互いに接近するように傾斜している。この両指当壁部２０の外面２３には凹凸状の滑り止め部２３ａが長手方向Ｘに並んで形成され、この各滑り止め部２３ａが長手方向Ｘへ並ぶ所定範囲Ｅで、前記背壁部１８の各貫通孔２２が幅方向Ｙの両側にある各滑り止め部２３ａ間で並んでいる。また、この外面２３においては、把持部３の長手方向Ｘの両側のうち頭部６側の端部と尻部７側の端部との間の中間部で、固定端部２０ｂと自由端部２０ａとの間の厚み方向寸法Ｈ１（約７ｍｍ）が最大に設定された頂部２４が設けられ、それらの両端部から頂部２４に向けてなだらかに連続している。この両指当壁部２０は空間部１１側へ押された際に空間部１１側へ撓んで弾性変形する。その弾性変形の際に生じる撓み量は自由端部２０ａ側ほど大きい。
【００２５】
前記把持部３の両側部１０のうち前記指当壁部２０を有する側部１０と尻部７との間の側部１０には、ハンドル２の幅方向寸法のうち両側部１０間の間隔を最も狭くした幅方向寸法Ｗ１（約９ｍｍ）のくびれ部２５が設けられている。このくびれ部２５から連続する尻部７は、厚み方向Ｚの両側へ膨出するとともに幅方向Ｙの両側へ膨出した幅方向寸法Ｗ２（約２２ｍｍ）の肥大部７ａを有している。また、尻部７は背壁部１８が厚み方向Ｚへ若干膨らんだ突部７ｂを有している。このくびれ部２５で把持部３は、例えば、腹部８と背部９とを結ぶ方向と両側部１０間を結ぶ方向とへそれぞれ折曲することができるとともに、腹部８と背部９と両側部１０とを結ぶ周方向へ捻ることができるように、弾性変形し得る。
【００２６】
前記両指当壁部２０の外面２３における厚み方向寸法は頂部２４からくびれ部２５に向って減少し、その外面２３はくびれ部２５における側壁部１９の外面に対しなだらかに連続している。そのくびれ部２５で側壁部１９の外面の厚み方向寸法Ｈ２（約２ｍｍ）が最小になり、さらに、そのくびれ部２５から尻部７側に向うに従い側壁部１９の外面の厚み方向寸法が大きくなって尻部７で側壁部１９の外面の厚み方向寸法がＨ３（約３．５ｍｍ）となる。また、前記腹部８の空間部１１は尻部７の肥大部７ａまで延び、その空間部１１の尻端側の端を形成する周壁部１７の腹部側（空間部１１の開口部側）は指を掛けることができる指掛部１７ａを有している。
【００２７】
前記ハンドル２において把持部３の頭部６側にある支持枠部１２の端枠部１４は、前記剃刀ヘッド４に対する支持部を兼用し、ハンドル２の幅方向寸法のうち最大の幅方向寸法Ｗ３（約２３ｍｍ）を有している。剃刀ヘッド４は、この支持部（端枠部１４）の幅方向Ｙの両側に設けられた支持腕部２６により回動可能に支持され、その両支持腕部２６間でこの支持部（端枠部１４）の幅方向Ｙの中央部に設けられた板ばね部２７により弾性的に付勢されて、板ばね部２７の弾性力により腹側に付勢された静止状態から背側へ板ばね部２７の弾性力に抗して傾動し得る。前記腹部８の空間部１１は、端枠部１４側へ開放され、その端枠部１４に形成された小突起１４ａの幅方向Ｙの両側を通してこの剃刀ヘッド４側へ開放されている。なお、剃刀１の全長Ｌは約１３０ｍｍになっている。
【００２８】
使用時にハンドル２を把持する際には、指当壁部２０に親指の腹面と人差し指の腹面とを当てがうか、或いは、人差し指の腹面を背部９の指当凹部２１に当てがうとともに指当壁部２０に親指の腹面と中指の腹面とを当てがい、これら把持状態に加えさらに、尻部７の背側の突部７ｂを手の平に当てがって尻部７の肥大部７ａを手の平で包み込むようにし、小指または薬指を尻部７の腹側の空間部１１で指掛部１７ａに当てがう。それにより、尻部７の肥大部７ａを手の平内に納めて、尻部７側を安定に保持しつつ、親指や人差し指や中指でハンドル２を操作すると、くびれ部２５より頭部６側を使用状況に応じて変位させることができて使い易い。
【００２９】
本実施形態は下記の効果を有する。
（１）  ハンドル２を把持して片持ち梁状の指当壁部２０に指を当てがった際に、指当壁部２０の自由端部２０ａ側ほどその弾性変形の撓み量が大きくなるため、ハンドル２が手に馴染み易くなり、感触を従来のものよりもより一層良くして使い勝手を向上させることができる。特に、湿式の剃刀１では、ハンドル２が濡れて滑り易い状態でも、ハンドル２を安定して把持し易い。
【００３０】
（２）  把持部３は、くびれ部２５で、腹部８と背部９とを結ぶ方向と両側部１０間を結ぶ方向とへそれぞれ折曲することができるとともに、腹部８と背部９と両側部１０とを結ぶ周方向へ捻ることができるように、弾性変形し得るため、ハンドル２を把持した際にハンドル２に与える力に応じてハンドル２が弾性変形し、ハンドル２が手に馴染み易くなって感触を良くすることができる。
【００３１】
（３）  把持部３の両側枠部１３は、硬質材で形成されて剛性を有しているものの、その肉厚を小さくすれば外力により撓むことも可能である。特に、指当壁部２０の付近において両側枠部１３は背壁部１８を挟んだ状態で幅方向Ｙへ互いに接近するにように撓むことができる。その際、両側枠部１３の剛性によりハンドル２としての剛性を維持しつつ、腹側の指当壁部２０は背側の両側枠部１３よりも撓み易く、使用者の指先にフィットし易い状態となる。また、把持部３のくびれ部２５は、硬質材と軟質材とで構成されているとともに、両側枠部１３の間隔を狭くしたこともあって、ある程度の剛性を維持しつつ、捻ったり曲げたりすることが可能である。
【００３２】
（４）  両指当壁部２０の外面２３における凹凸状の滑り止め部２３ａが長手方向Ｘへ並ぶ所定範囲Ｅで、背壁部１８の各貫通孔２２が幅方向Ｙの両側にある各滑り止め部２３ａ間で並んでいるので、その各貫通孔２２により両指当壁部２０が撓み易くなるとともに、各滑り止め部２３ａを指先で持つことができ、剃刀１のハンドル２を使い易くなる。
【００３３】
（５）  側壁部１９が段差部１９ａで側枠部１３の端面１３ａに対し剥がれ得るようにした場合、頻繁な使用によりその段差部１９ａが剥がれた場合にはハンドル２の交換の目安となる。
【００３４】
前記実施形態以外にも例えば下記のように構成してもよい。
・  前記把持部３の壁部１６において、背壁部１８を省略し、空間部１１を周壁部１７の内側で背側にも開放してもよい。
【００３５】
・  前記把持部３において、空間部１１を省略し、両指当壁部２０を弾性変形し得るように綿やスポンジなどの柔軟な充填材を埋設してもよい。
・  ハンドル２において把持部３に腹部８と背部９と両側部１０との区別がない場合には、両指当壁部２０及びそれらの間の空間部１１を腹部８ばかりでなく背部９に設けたり一方の側部１０に設けたりしてもよい。
【００３６】
・  一方の指当壁部を他方の指当壁部側へ押した際に一方の指当壁部が他方の指当壁部側へ弾性変形して撓んで生じる撓み量については、指当壁部の厚み方向両端部間の中間の部位が端部側の部位よりも大きくなるようにしてもよい。
【００３７】
・  剃刀ヘッド４をハンドル２に対し着脱不能に支持するばかりでなく、剃刀ヘッド４を交換できるように着脱可能に支持してもよい。また、剃刀ヘッド４をハンドル２に対し首振り可能に支持するばかりでなく首振り不能に支持してもよい。
【００３８】
・  本発明を剃刀１以外に彫刻刀やカッターや鋏や爪切りや包丁や医療用器具（メス等）などの各種手動利器のハンドルに採用してもよい。
【符号の説明】
【００３９】
１…手動利器としての剃刀、２…ハンドル、３…把持部、４…剃刀ヘッド、５…刃体、５ａ…刃先、６…頭部、７…尻部、８…腹部、９…背部、１０…側部、１１…空間部、１３…側枠部（基部）、２０…指当壁部（指当部）、２０ａ…自由端部、２０ｂ…固定端部、２５…くびれ部。
【図１】
2012024456.tif 000003
【図２】
2012024456.tif 000004
【図３】
2012024456.tif 000005
【図４】
2012024456.tif 000006